(57)【要約】【課題】ケーブル電線との接続を簡単な処理作業でコネクタ接続ができ、しかもケーブル電線との接続状態を強固を保持し得る接続信頼性の高いコネクタ端子接続構造を提供すること【解決手段】複数本の素線を撚り合わせてなる芯線２１の周囲が絶縁被覆材２２で覆われるケーブル電線２０とコネクタ端子１０とが、このケーブル電線２０及びコネクタ端子１０に貫通されるピアス部材３０を介して導通接続されるコネクタ端子接続構造であって、前記ケーブル電線２０の端末部を前記コネクタ端子１０の接続部１２の基底部１３上に挿置し、この挿置されたケーブル電線２０及び前記基底部１３に前記ピアス部材３０を貫通させることにより、ピアス部材３０が前記芯線２１及び基底部１３と導通接触され、前記ケーブル電線２０とコネクタ端子３０とが導通接続される。【選択図】　図１
2004022345.tif 000002
【特許請求の範囲】
【請求項１】
複数本の素線を撚り合わせてなる芯線の周囲が絶縁被覆材で覆われるケーブル電線とコネクタ端子とが、このケーブル電線及びコネクタ端子に貫通されるピアス部材を介して導通接続されるコネクタ端子接続構造であって、前記ケーブル電線の端末部を前記コネクタ端子の接続部の基底部上に挿置し、この挿置されたケーブル電線及び前記基底部に前記ピアス部材を貫通させることにより、このピアス部材が前記芯線及び基底部と導通接触され、前記ケーブル電線とコネクタ端子とが導通接続されることを特徴とするコネクタ端子接続構造。
【請求項２】
前記基底部には、前記ピアス部材を挿通するための貫挿孔が設けられていることを特徴とする請求項１に記載のコネクタ端子接続構造。
【発明の詳細な説明】
【０００１】
【発明の属する技術分野】
本発明は、コネクタ端子接続構造に関し、更に詳しくは、複数本の素線を撚り合わせてなる芯線を絶縁被覆材で被覆されたケーブル電線とコネクタ端子とを別部材であるピアス部材を介して導通接続してなるコネクタ端子接続構造に関するものである。
【０００２】
【従来の技術】
従来、自動車用ワイヤハーネスなどにおいて、多数本の素線が撚り合わされた撚り線を芯線とするケーブル電線のコネクタ端子への接続は、圧着又は圧接により行われている。圧着はケーブル電線の被覆を除去する工程が必須であり、また、圧接は現行の自動車用電線を使用した場合、狭ピッチ化に限界がある。そこで、図５及び図６に示すようなケーブル電線に針状部材を貫通するコネクタ端子接続構造が考案されている。
【０００３】
この接続構造におけるコネクタ端子１００は、相手側コネクタの接続端子（この例では、オス型端子）の挿入口を一開口端に有する角形筒状の嵌合筒部１０１と、その他端側にケーブル電線１１０の端末部分を電気的に導通接続する接続部１０２とが一体的に設けられているものである。この接続部１０２には、接続されるケーブル電線１１０の軸線方向に長手の断面略凹字形をした基底部１０３にケーブル電線１１０を貫挿するためのピアス刃１０４，１０４が切り起こし形成されている。
【０００４】
そして、このコネクタ端子１００にケーブル電線１１０を接続するに際して、ケーブル電線１１０の端末部分を接続部１０２の基底部１０３に装着したときに、ケーブル電線１１０の絶縁被覆材１１２がピアス刃１０４，１０４によって貫通され、内部の芯線１１１，１１１・・・とピアス刃１０４，１０４とが導通接続される（図６参照）。そしてこのような圧接刃タイプの接続端子によれば、ケーブル電線１１０の端末部分の絶縁被覆材１１２を皮剥ぎすることなく簡単な処理作業でコネクタ接続できるという利点がある。
【０００５】
しかしながら、上記構成からなるコネクタ端子は、接続部の基底部にピアス刃を切り起こすための切り抜き穴が形成され、接続部の剛性の低下が懸念される。基底部からピアス刃を切り起こす際には、切り起こしの作業上、基底部を大きく切り抜かざるを得ず、その結果、図５に示したようにピアス刃を切り起こした部分の基底部は大半が切り抜かれた状態となっている。このため、外部からの大きな負荷がかかった場合などにコネクタ端子とケーブル電線との接続状態が維持できずに接続部の変形やケーブル電線の脱落等を生じるおそれがある。
【０００６】
また、上記接続構造のように、ピアス刃にケーブル電線を貫通させただけでは、ケーブル電線の上方が係止されていないため、振動等の外部からの応力負荷がかかった場合にケーブル電線がずれ、場合によっては脱落するおそれがあり、上記接続状態が強固に保持されないといった問題もある。
【０００７】
さらに、ピアス刃を切り起こし形成するために、基底部に切り起こすためのスペースが必要となる。したがって、このスペースの分だけ接続部の長さを確保しなければならず、コネクタ端子の小型化の妨げとなるといった問題もある。
【０００８】
本発明の解決しようとする課題は、複数本の素線を撚り合わせた撚り線を芯線とするケーブル電線を別部材であるピアス刃を用いた簡単な処理作業でコネクタ接続ができ、しかもケーブル電線とコネクタ端子との強固な接続状態を保持し得る接続信頼性の高いコネクタ端子接続構造を提供することである。
【０００９】
【課題を解決するための手段】
この課題を解決するために本発明に係るピアシング端子接続構造は、請求項１に記載のように、複数本の素線を撚り合わせてなる芯線の周囲が絶縁被覆材で覆われるケーブル電線とコネクタ端子とが、このケーブル電線及びコネクタ端子に貫通されるピアス部材を介して導通接続されるコネクタ端子接続構造であって、前記ケーブル電線の端末部を前記コネクタ端子の接続部の基底部上に挿置し、この挿置されたケーブル電線及び前記基底部に前記ピアス部材を貫通させることにより、このピアス部材が前記芯線及び基底部と導通接触され、前記ケーブル電線とコネクタ端子とが導通接続されることを要旨とするものである。
【００１０】
このコネクタ端子接続構造によれば、ケーブル電線に貫通させるピアス部材が別部材として設けられているので、コネクタ端子の接続部の基底部を切り起こしてピアス刃を形成するといった作業を行う必要がない。これによって、コネクタ端子の接続工程が簡略化される上に、基底部に不要な切抜き穴が形成されて接続部の剛性が低下するようなこともなく強固な接続状態が保持される。
【００１１】
また、ピアス部材がコネクタ端子と別部材であることによって、基底部にピアス刃を切り抜くためのスペースを確保する必要がないため、接続部の省スペース化並びにコネクタ端子サイズの小型化を図ることが可能となる。
【００１２】
また、上記コネクタ端子接続部の基底部には、請求項２に記載されるように、前記ピアス部材を挿通するための貫挿孔が設けられていてもよい。貫挿孔が設けられておれば、ピアス部材を基底部に貫通させるに際し貫通作業が容易に行えるだけでなく、ピアス部材を貫通させる際の位置決めも容易に行うことができる。
【００１３】
【発明の実施の形態】
以下に本発明の好適な実施の形態を図面を参照して詳細に説明する。
本発明に係るコネクタ端子接続構造について図１及び図２を用いて詳細に説明する。図１に示したピアシング端子１０は、耐熱性の銅合金板を打ち抜き加工により組立て形成されたものであり、一端側に図示しない相手側のコネクタ接続端子を嵌合接続するための嵌合部１１が設けられている。一方の他端側にはケーブル電線２０を導通接続するための断面略Ｕ字形の接続部１２が前記嵌合部１１と一体に設けられている。
【００１４】
接続部１２の基底部１３には、後述するピアス部材３０が挿通可能な貫挿孔１４が設けられている（図１参照）。この貫挿孔１４は、ピアス部材３０の周方向の外径と略同等若しくはそれよりもやや大きめに形成されている。また、この貫挿孔１４は、基底部１３の幅方向の略中央位置に形成されている。これは、ケーブル電線２０に貫通させたピアス部材３０とケーブル電線内部の芯線２１，２１・・・とをなるべく多く接触させ、両者間の良好な導通状態を確保するためである。
【００１５】
次に、ピアス部材について説明する。ピアス部材は、コネクタ端子１０とケーブル電線２０とを電気的に接続するための中継的な役割を担う。ピアス部材は、略角柱形状であり一端部の各面が内向きテーパ状に形成され、ケーブル電線２０への貫通を容易としている。また、このピアス部材３０は、貫通されるケーブル電線２０の外径と基底部１３の厚みとを合わせた厚み（長さ）よりも長く設定されている。これは、ピアス部材３０をケーブル電線２０及び基底部１３を貫通させた状態で、ピアス部材の両側端縁を露出させるためである。
【００１６】
また、コネクタ端子１０に接続されるケーブル電線２０は、複数本の軟銅線（素線）が撚り合わさって構成される芯線２１，２１・・・が複数本束ねられてその周囲を合成樹脂による絶縁被覆材２２で被覆されたものである。
【００１７】
コネクタ端子１０とケーブル電線２０とを接続するに際しては、先ずケーブル電線２０の端末部をコネクタ端子１０の基底部１３に挿置する。この状態で、ケーブル電線２０の上方からピアス部材３０を挿入することによって、ピアス部材３０が、ケーブル電線２０を貫通すると共に貫挿孔１４へと挿通される（図１及び図２（ａ）参照）。このとき、ケーブル電線内の芯線２１，２１・・・とピアス部材３０とが接触し、ピアス部材３０、ケーブル電線２０間の導通状態が確保される。
【００１８】
次いで、ケーブル電線２０の上方及び基底部１３の下方に露出するピアス部材３０の両端部をそれぞれ縦方向に圧着することにより、ケーブル電線２０が基底部１３上に係止・固定される（図２（ｃ）参照）。これにより、ピアス部材３０を介して、コネクタ端子１０とケーブル電線２０とが電気的に接続される。また、ピアス部材３０の圧着により、ケーブル電線２０の断面が楕円形状に変形しているが、このようにケーブル電線２０に対して圧縮負荷が掛けられることによって、ピアス部材３０とケーブル電線２０内部の芯線２１，２１・・・との接触部においては高い接触荷重が生じ、その結果、強固な接続状態が得られる。
【００１９】
また、上記実施の形態で用いたピアス部材３０については、図３に示すように、挿入端の他側端縁部に係止片３１Ｌ，３１Ｒが設けられた略Ｔ字型形状のものであってもよい。このピアス部材３０をケーブル電線２０に貫通させると、係止片３１Ｌ，３１Ｒがケーブル電線２０の外面に当接し、ピアス部材３０が係止される。そして、基底部１３の下方に露出するピアス部材３０を圧着することによって、ピアス部材３０と基底部１３の外側底面と接触し、コネクタ端子１０とケーブル電線２０とが電気的に接続される。図１及び図２に示したピアス部材の場合には、ケーブル電線２０及び基底部１３に貫通させる際に、その両端部が露出する適当な位置で留める必要があるが、その位置決めが難しい。これに対して、ピアス部材に係止片３１Ｌ，３１Ｒが設けられておれば、貫通時の位置決めを容易に行うことができる。
【００２０】
また、本発明に係るコネクタ端子接続構造の他の実施の形態を図４に示す。この接続構造に用いられるピアス部材３０は、板状形状を有し、一端部には同じく係止片３１Ｌ，３１Ｒを備えている。また、このピアス部材３０の他端部は、厚み方向、幅方向それぞれが内向きテーパ状に形成され、ケーブル電線２０への貫通を容易としている。
【００２１】
一方、コネクタ端子１０を構成する接続部１２の基底部１３には、ピアス部材３０の周方向の外径と略同等若しくはそれよりも若干大きめの矩形状の貫挿孔１４が形成されている。また、この貫挿孔１４は、基底部１３の幅方向の略中央位置に形成されている。なお、コネクタ端子の接続部以外の構成は上記実施の形態に係るコネクタ端子と同じであるため説明は割愛する。
【００２２】
コネクタ端子１０とケーブル電線２０とを接続するに際しては、先ずケーブル電線２０の端末部をコネクタ端子１０の基底部１３に挿置する。この状態で、ケーブル電線２０の上方からピアス部材３０を挿入することによって、ピアス部材３０が、ケーブル電線２０を貫通すると共に貫挿孔１４へと挿通される（図１及び図２（ａ）参照）。このとき、係止片３１Ｌ，３１Ｒがケーブル電線２０の外面に当接することによって、ピアス部材３０が係止される。さらにこのとき、ケーブル電線内の芯線２１，２１・・・とピアス部材３０とが接触し、ピアス部材３０、ケーブル電線２０間の導通状態が確保される。
【００２３】
なお、上記実施形態においては、１個のピアス部材を用いてケーブル電線２０とコネクタ端子とを接続する接続構造について説明したが、これに限らず複数個のピアス部材を介して接続する接続構造であってもよい。その場合、ピアス部材の配列は使用環境等に適宜変更可能である。
【００２４】
また、上記実施の形態においては、ピアス部材を接続部の基底部に貫通させるに際しては、ピアス部材を基底部に形成された貫挿孔に挿通させているが、これに限られることはない。例えば、基底部には貫挿孔は設けずに、ピアス部材を基底部に貫通させることによって、ピアス部材と基底部との導通状態を形成する接続構造であってもよい。
【００２５】
本発明は、上記した実施の形態に何ら限定されるものではなく、本発明の趣旨を逸脱しない範囲で種々の改変が可能である。例えば、ケーブル電線に貫通させるピアス部材の形状は上記実施の形態のものに限られるものではなく、接続状態等により適宜変更可能であることはいうまでもない。また、上記実施の形態においては、ピアス部材をケーブル電線及び基底部に貫通させた後、露出したピアス部材の両端部を圧着してケーブル電線を基底部上に係止・固定する手段を取っているが、これに限られず、圧着以外に例えば、露出部分を屈曲させて係止・固定するようにしても構わない。
【００２６】
【発明の効果】
本発明に係るコネクタ端子接続構造によれば、ケーブル電線とコネクタ端子とを導通接続するために介在させるピアス部材がコネクタ端子とは別部材として設けられているので、ピアス部材が接続部の基底部を切り起こして一体に設けられるコネクタ端子のように、ピアス部材の切り起こしによって基底部に切り抜き穴が生じることにより接続部の剛性が低下するといった問題は起こらず、強固な接続構造を保持することができるという本願発明特有の作用効果を奏するものである。
【００２７】
また、このコネクタ端子接続構造においては、基底部の一部からピアス部材を形成するといった工程が必要でなく、ピアス部材をケーブル電線と共に基底部に貫通させることでケーブル電線とコネクタ端子とを導通接続するものであるので、接続作業工程の簡略化を図ることができる。
【００２８】
さらには、ピアス部材がコネクタ端子とは別部材として設けられていることによって、上述のように基底部にピアス刃を切り起こすためのスペースを確保する必要がなく、ピアス部材を貫通させる分だけのスペースが設けられていればよいため、従来のコネクタ端子に比べて接続部の省スペース化ならびにコネクタ端子サイズの小型化を図ることが可能となる。
【図面の簡単な説明】
【図１】本発明の第１実施形態にかかるコネクタ端子接続構造に適用されるピアシング端子の外観斜視図である。
【図２】図１に示したコネクタ端子の接続部にピアス部材を用いてケーブル電線を接続する工程を示した断面図であり、（ａ）はピアス部材を挿入する前の状態を示した図、（ｂ）はピアス部材をケーブル電線に貫通させた状態を示した図、及び（ｃ）はピアス部材の両端を圧着・固定した状態を示した図である。
【図３】本発明の第２の実施形態に係るピアシング端子接続構造に適用されるコネクタ端子接続構造の外観斜視図である。
【図４】本発明の第３の実施形態に係るピアシング端子接続構造に適用されるコネクタ端子接続構造の外観斜視図である。
【図５】従来用いられるコネクタ端子の接続部の基底部から切り起こしたピアス刃を備えたコネクタ端子とケーブル電線との接続構造を示した外観斜視図である。
【図６】図５に示したコネクタ端子とケーブル電線との接続工程を示した断面図であり、（ａ）はケーブル電線をコネクタ端子接続部に挿入する前の状態を示した図、及び（ｂ）はケーブル電線をコネクタ端子接続部に挿入接続させた状態を示した図である。
【符号の説明】
１０　コネクタ端子
１２　接続部
１３　基底部
１４　貫挿孔
２０　ケーブル電線
２１，２１・・・　芯線
３０　ピアス部材
【図１】
2004022345.tif 000003
【図２】
2004022345.tif 000004
【図３】
2004022345.tif 000005
【図４】
2004022345.tif 000006
【図５】
2004022345.tif 000007
【図６】
2004022345.tif 000008